(57)【要約】【課題】竪樋を安定してかつ取付強度を高めて建物に固定することができる竪樋取付具を提供する。【解決手段】竪樋取付具１は、建物の外壁Ｗに固定される、固定具挿通用の挿通孔２２ａを有した座板２０と、竪樋２の背面に突出形成された取付部３を挟着係止し、竪樋２の長手方向に開設された長孔１１ａを介して、座板２０に対してスライド可能に連結される挟着体１０とを備えており、座板２０と、挟着体１０とは、固定具３２を挿通し得る貫通リベット３１を挿通孔２２ａおよび長孔１１ａに挿通させて結合され、貫通リベット３１に貫通された固定具３２で外壁Ｗに取り付けられる構造となっている。【選択図】図１
2014114666.tif 000002
【特許請求の範囲】
【請求項１】
建物の外壁に固定される、固定具挿通用の挿通孔を有した座板と、竪樋の背面に突出形成された取付部を挟着係止し、該竪樋の長手方向に開設された長孔を介して、前記座板に対してスライド可能に連結される挟着体とを備えた竪樋取付具であって、
前記座板と、前記挟着体とは、前記固定具を挿通し得る貫通リベットを前記挿通孔および前記長孔に挿通させて結合され、該貫通リベットに貫通された前記固定具で前記外壁に取り付けられる構造としたことを特徴とする竪樋取付具。
【請求項２】
請求項１において、
前記座板と前記外壁との間に配されるスペーサをさらに備えたことを特徴とする竪樋取付具。
【請求項３】
請求項１または２において、
前記座板は、前記挟着体を係止、固定する係止部を備えており、
前記挟着体は、前記竪樋の取付部を挟着係止する、ばね性を有した一対の挟着片を備え、両挟着片が、竪樋の長手方向に沿った段階的可変位置で前記係止部に係止され得る被係止部を備えており、
前記挟着体の挟着片を挟着方向につまんで前記座板による係止を解除し得る構造となっていることを特徴とする竪樋取付具。
【請求項４】
請求項１〜３のいずれか１項において、
前記座板の挿通孔の縁部には、前記挟着体の長孔を挿通し突出する突出部が形成されていることを特徴とする竪樋取付具。
【発明の詳細な説明】
【技術分野】
【０００１】
本発明は、竪樋を建物の外壁に取付固定するための竪樋取付具に関する。
【背景技術】
【０００２】
従来の竪樋取付具として、たとえば特許文献１に記載されたものが挙げられる。
【０００３】
この文献の竪樋取付具は、建物の外壁に固定される座板と、竪樋の背面に突出形成された取付部を挟着係止し、竪樋の長手方向に沿って開設された長孔を介して、座板に対してスライド可能にリベットで連結される、ばね性を有した一対の挟着片を有した挟着体とを備えている。すなわち、この竪樋取付具によれば、座板と挟着体とをスライド調節することで、座板の外壁への取付位置と、竪樋の取付部との上下方向（竪樋の長手方向）の位置合わせができるようになっている。
【先行技術文献】
【特許文献】
【０００４】
【特許文献１】特開２００５−９００７３号公報  図４
【発明の概要】
【発明が解決しようとする課題】
【０００５】
ところで、上記文献の竪樋取付具は、その座板に、竪樋を固定した挟着体を壁面から所定の間隔を離間させて保持するための脚部が、座板の本体より延出するように形成されている。この脚部はＬ字状に形成され、Ｌ字の一方の片であるビス孔を有した取付片部を竪樋の長手方向の中心線からずれた位置に備えて、ビス止め作業をしやすいようにしている。
【０００６】
しかしながら、ビス止めによる固定位置が竪樋の中心線からずれているため、竪樋の取付後において安定が悪く、座板の脚部に負荷がかかり座板が外壁から外れるおそれがあった。また、座板の脚部のＬ字の他方の片である脚片部は所定の一定の長さであるため、この座板を用いる限り、竪樋の外壁からの離間距離を調整することはできなかった。
【０００７】
本発明は、このような問題を考慮して提案されたもので、竪樋を安定してかつ取付強度を高めて建物に固定することができる竪樋取付具を提供することにある。また、竪樋の外壁からの離間位置の位置決めを容易にできる竪樋取付具を提供することを、さらなる目的とする。
【課題を解決するための手段】
【０００８】
上記目的を達成するために、請求項１に記載の竪樋取付具は、建物の外壁に固定される、固定具挿通用の挿通孔を有した座板と、竪樋の背面に突出形成された取付部を挟着係止し、該竪樋の長手方向に開設された長孔を介して、座板に対してスライド可能に連結される挟着体とを備えた竪樋取付具であって、座板と、挟着体とは、固定具を挿通し得る貫通リベットを挿通孔および長孔に挿通させて結合され、該貫通リベットに貫通された固定具で外壁に取り付けられる構造としたことを特徴とする。
【０００９】
請求項２に記載の竪樋取付具は、座板と前記外壁との間に配されるスペーサをさらに備えたことを特徴とする。
【００１０】
請求項３に記載の竪樋取付具は、座板は、挟着体を係止、固定する係止部を備えており、挟着体は、竪樋の取付部を挟着係止する、ばね性を有した一対の挟着片を備え、両挟着片が、竪樋の長手方向に沿った段階的可変位置で係止部に係止され得る被係止部を備えており、挟着体の挟着片を挟着方向につまんで座板による係止を解除し得る構造となっていることを特徴とする。
【００１１】
請求項４に記載の竪樋取付具は、座板の挿通孔の縁部には、挟着体の長孔を挿通し突出する突出部が形成されていることを特徴とする。
【発明の効果】
【００１２】
請求項１に記載の竪樋取付具によれば、上述した構成となっているため、竪樋を建物の外壁の竪樋の中心線に対応した位置に、ビスや釘などの固定具を用いて固定することができ、竪樋を安定してかつ取付強度を高めて建物に固定することができる。
【００１３】
請求項２に記載の竪樋取付具によれば、この竪樋取付具がスペーサを備えているため、外壁から所望の離間距離の位置に竪樋を設置することができる。また、スペーサとして種々の厚みのものを用いることで、種々の離間距離に対応させることができる。
【００１４】
請求項３に記載の竪樋取付具によれば、竪樋取付具が挟着体の挟着片を挟着方向につまんで座板との係止を解除し得る構造となっているので、簡易に挟着体のスライド操作を行うことができ、その結果、座板の外壁への取付位置と、竪樋の取付部との竪樋の長手方向の位置合わせを容易かつ迅速に行うことができる。
【００１５】
請求項４に記載の竪樋取付具によれば、座板の挿通孔の縁部に挟着体の長孔を挿通し突出する突出部が形成されているので、突出部の先端を貫通リベットの頭部裏側に当接させた状態で挟着体と座板とを連結させることができる。そのため、挟着体の長孔の縁部は貫通リベットの頭部と座板との間で挟着された状態にはならず、その結果、挟着体を座板に結合させた状態で座板に対してスムーズにスライドさせることができる。
【図面の簡単な説明】
【００１６】
【図１】本発明の一実施形態に係る竪樋取付具の分解斜視図である。
【図２】同竪樋取付具の説明図であり、（ａ）は分解横断面図、（ｂ）は取付状態を示す横断面図および要部の部分拡大横断面図である。
【図３】同竪樋取付具の構成部材である挟着体の説明図であり、（ａ）は左側面図（図２（ａ）基準）、（ｂ）は図２（ａ）におけるＢ方向から見た部分正面図、（ｃ）は同Ａ方向から見た部分正面図、（ｄ）は（ｂ）、（ｃ）に対応した部分展開図である。
【図４】同竪樋取付具の構成部材である座板の説明図であり、（ａ）は平面図、（ｂ）は同左側面図、（ｃ）は同正面図である。
【図５】同竪樋取付具の使用態様を示す正面図である。
【図６】（ａ）、（ｂ）は、同竪樋取付具の使用態様（取付手順）を示す部分断面平面図である。
【発明を実施するための形態】
【００１７】
以下に、本発明の実施の形態について、添付図面を参照しながら説明する。
【００１８】
図１〜図６は、本発明の一実施形態に係る竪樋取付具の説明図である。
【００１９】
本実施形態の竪樋取付具１は、竪樋２を建物の外壁Ｗに上下方向に沿わせるように取り付けるための取付具であり、竪樋２（以下の実施形態では竪樋用の継手）の背面に突出形成された取付部３（図５、図６参照）を挟着係止する挟着体１０（図１〜図３参照）と、外壁Ｗに取付固定される座板２０（図１、図２および図４参照）とを備えている。
【００２０】
また、挟着体１０と座板２０とは重ね合わせた状態で外壁Ｗにビス３２等の固定具で連結される構成であり、竪樋取付具１は、固定具および固定具を挿通し得る貫通リベット３１をさらに備えた構成とされる。なお固定具としてビス３２を例示したが、釘を用いてもよい。
【００２１】
挟着体１０は、金属薄板により折曲形成されており、略矩形状の本体部１１（連結部）と、その幅方向の両端より拡開状（ハ字状）に延びた一対の挟着片１２、１２とを備えて、全体として凹溝形状をなしており、挟着片１２、１２の先端同士が近づき、あるいは遠ざかるように弾性変形し得るばね性を有している。
【００２２】
本体部１１には、その幅方向の中央に、長手方向に沿って、座板２０と軸（ビス３２および貫通リベット３１）で連結するための長孔１１ａが開設されており、長手方向の両端には、挟着片１２を折曲させた方向に突出したストッパ突片１３、１３が形成されている。また、本体部１１の幅方向の両端部には、挟着片１２、１２の変形を防止し、全体のばね性を向上させるための上下方向に走る補強用リブ１１ｂ、１１ｂが形成されている。
【００２３】
また、挟着片１２には、図３（ｄ）の展開図に示すように、略矩形の係止開口１２ａが形成されている。挟着片１２の幅方向の端縁部において長手方向の両端が切り欠かれ、その端縁部の長手方向の長さ寸法が係止開口１２ａの上下寸法よりもやや小さくなるように形成されている。この挟着片１２は、端縁部が図３（ｄ）中の破線で内側に折り曲げ巻回されて、その折り曲げられた端縁部により構成された掛止部１２ｄが係止開口１２ａより覗いている（図３（ｂ）、（ｃ）参照）。
【００２４】
図５、図６で後述するように、係止開口１２ａは、掛止部１２ｄとの協働により竪樋２の取付部３の掛止突部３ｂ、３ｂを掛止させる作用を有しており、係止開口１２ａの上下方向の開口寸法は、竪樋２の取付部３の伸縮や竪樋２の上下方向のずれを吸収できるように、取付部３の上下方向の寸法よりも十分に大きい。
【００２５】
係止開口１２ａはさらに、後述する座板２０と相互に係止するための被係止部を備えている。すなわち、係止開口１２ａの本体部１１側の端縁には、鋸刃状に凹凸が連続する凹凸部１２ｂが形成されており、その断続的に形成された凹部１２ｃが、後述する座板２０の凸部２３ａ（係止部）と相互係止するための被係止部を構成している。
【００２６】
一方、座板２０は、挟着体１０よりも厚い金属板または硬質樹脂板より形成されており、略矩形の板体よりなる、挿通孔２２ａを有した本体片２２（連結部）と、その本体片２２の幅方向の両端が外壁Ｗ（図５、図６参照）から離れる方向に折曲されて形成された折曲片２３、２３と、本体片２２の上下端より折曲片２３の折曲方向とは反対の方向（取付対象である外壁Ｗ側）に折曲突出したスペーサ突片２１、２１とを備えている。このスペーサ突片２１、２１は座板２０を外壁Ｗから所定の距離に配するためのスペーサを構成する。また、一対の折曲片２３、２３は平面視でハ字状をなしており、それぞれの折曲片２３、２３の上下方向の略中央には、内側に突出した凸部２３ａ（係止部）が形成されている。
【００２７】
また、本体片２２の略中央に形成された挿通孔２２ａは丸孔であり、その縁部からは、スペーサ突片２１の突出方向とは反対の方向に筒状に突出した突出部２４が形成されている。この突出部２４はバーリング加工などにて形成すればよく、その突出寸法は挟着体１０の厚さ寸法よりも大きい。
【００２８】
図２（ａ）、（ｂ）に示すように、挟着体１０と座板２０の連結部同士を、座板２０の折曲片２３、２３が挟着体１０の挟着片１２、１２に被さるように重ねて、座板２０の突出部２４を長孔１１ａより突出させ、その突出部２４の先端側の開口より貫通リベット３１を挿通孔２２ａに挿通し貫通リベット３１の先端をかしめることで、挟着体１０と座板２０とが連結される。
【００２９】
両部材が連結された状態では、突出部２４が挟着体１０の長孔１１ａより突出した状態となるため、突出部２４の先端が貫通リベット３１の頭部３１ａ裏側に当接した状態となって両部材が連結される（図２（ｂ）参照）。
【００３０】
ビス３２を貫通リベット３１の頭部３１ａ側より挿通させてビス３２の先端を外壁Ｗに埋設させることで、挟着体１０と座板２０との連結体をしっかりと外壁Ｗに固定することができる。また、座板２０にスペーサ突片２１が形成されているため、ビス３２を螺進させていくとスペーサ突片２１の先端が外壁Ｗに当接し、挟着体１０と座板２０との連結体はその位置でずれることなく固定される。
【００３１】
このように、挟着体１０と座板２０とは貫通リベット３１を用いて簡単に結合でき、それらの連結体を簡易な操作で外壁Ｗに固定することができる。特に、竪樋取付具１の中央を固定できるため、竪樋２の中心線に対応した位置にて竪樋２を建物の外壁Ｗに固定することができ、竪樋２を安定してかつ取付強度を高めて建物に固定することができる。また、固定具としてビス３２や釘を用いた構成であるため、竪樋取付具１の取り付けを短時間で行える。
【００３２】
さらに、座板２０がスペーサ突片２１を備えているため、座板２０を外壁Ｗから所定間隔を離間させて配設することができ、竪樋取付具１および竪樋２の施工を寸法誤差がほとんど発生しないように施工することができる。また、スペーサ突片２１の突出長の異なる座板２０を用いることで、竪樋２の外壁Ｗからの離間位置を変えることができる。
【００３３】
スペーサとしては、上記スペーサ突片２１に限らず、別体のものを用いてもよい。ビス３２が貫通し得るように、台輪状のものを用いてもよい。たとえばナットをスペーサとして用いてもよい。また、竪樋取付具１はスペーサ（スペーサ突片２１）を有しない構成としてもよい。つまり、竪樋取付具２１を外壁Ｗに直付けする構成としてもよい。厚さ寸法の種々異なる座板２０を用いて、竪樋２の外壁Ｗからの離間位置を調節するようにしてもよい。
【００３４】
また、座板２０の挿通孔２２ａには突出部２４が延出形成されているため、挟着体１０の長孔１１ａの縁部は座板２０と貫通リベット３１の頭部３１ａとの間で挟着された状態にはならず、図２（ｂ）の拡大図に示すように遊嵌状態となる。その結果、後述する座板２０の係止部と挟着体１０の被係止部との係止が解除された状態であれば、挟着体１０を座板２０に対してスムーズにスライド移動させることができ、上下の調整を迅速かつ簡易に行うことができる。
【００３５】
上述したように、座板２０と挟着体１０とは貫通リベット３１により連結されるが、それらの相互の固定は座板２０の係止部と、挟着体１０の被係止部との係止によってなされる。
【００３６】
すなわち、座板２０の折曲片２３に形成された凸部２３ａ（係止部）が、挟着体１０の挟着片１２に形成された複数の凹部１２ｃ（被係止部）のうちのいずれかの凹部１２ｃに嵌合して係止し、これによって挟着体１０は長孔１１ａに沿った相対スライド移動が規制され、ロックされた状態（図１（ｂ）の実線で示した状態）となる。つまり、座板２０と挟着体１０とは、凸部２３ａと凹部１２ｃとによって、竪樋２（図５参照）の長手方向に沿った段階的可変位置で相互に嵌合、係止する。
【００３７】
挟着体１０と座板２０とがロック状態にあるときに、挟着体１０の挟着片１２、１２間が狭まる方向（図２（ｂ）の白抜き矢印方向）につまみ操作すると、凹部１２ｃと凸部２３ａとの係止が解除され、アンロック状態（図２（ｂ）の２点鎖線で示した状態）となり、挟着体１０と座板２０とは連結された状態で、長孔１１ａに沿った相対スライド移動が可能となる。
【００３８】
図５には挟着体１０と座板２０とを連結、固定した状態を示しているが、この状態で挟着片１２、１２をつまみ操作すると、挟着体１０の上下方向へのスライド移動が可能となる。
【００３９】
このようにして、竪樋取付具１の外壁Ｗへの取付位置と、竪樋２の取付部３との竪樋２の長手方向における位置合わせは、挟着片１２、１２をつまんで上下いずれかにスライド移動させるだけでできる。しかも、挟着体１０側の被係止部（凹部１２ｃ）は竪樋２（図５参照）の長手方向に沿って等間隔に複数形成されているので、一定ピッチで段階的な調節ができ、所望の位置で固定することができる。
【００４０】
なお、凹凸嵌合を担う凸部を挟着体１０に配し、凹部を座板２０に配した構成としてもよい。また、本実施形態では、係止開口１２ａの端縁に鋸刃状の凹凸部１２ｂを設け、その凹部１２ｃを座板２０の凸部２３ａと嵌合させる構成としているが、凹凸部１２ｂの凸部を、座板２０に設けた凹部と嵌合させる構成としてもよい。
【００４１】
さらに本実施形態では、竪樋２を係止するために形成された係止開口１２ａ（の端縁に設けた凹凸部１２ｂ）が、座板２０との係止用として兼用させた構造であるため、挟着体１０がシンプルな構造となっている。
【００４２】
ついで、この竪樋取付具１の使用態様について、図５、図６を参照しながら説明する。
【００４３】
竪樋取付具１は、その挟着体１０の挟着片１２、１２が竪樋２の取付部３を挟着することで竪樋２を係止する構成となっている。
【００４４】
図５、図６に示すように、取付部３は竪樋２の背面側に形成されている。本実施形態では、竪樋用の継手２ｂの背面側に突出形成された取付部３が竪樋取付具１に係止されることで、その上下に配設される竪樋本体２ａを固定できるようになっている。なお、この竪樋取付具１は、取付部３が竪樋本体２ａに形成されたものにも適用される。
【００４５】
竪樋２の取付部３は、脚部３ａを有した板状体よりなり、板状体の幅方向の両端に尖鋭状に突出した掛止突部３ｂ、３ｂを有した構成となっている。図６（ｂ）に詳細に示したように、この板状体の尖端から他の尖端までの幅寸法Ｓ１は、挟着体１０の挟着片１２、１２が十分に拡開した状態の掛止部１２ｄ、１２ｄ間の寸法Ｓ２（挟着片１２、１２の係止開口１２ａ、１２ａの外側端縁間の寸法）よりもやや大とされる。
【００４６】
竪樋２の取付部３を挟着片１２、１２間に向けて近接させていくと（図５、図６（ａ）参照）、取付部３の掛止突部３ｂの先端が挟着体１０の挟着片１２の掛止部１２ｄのハ字状に開いて対向するガイド面１２ｅを摺りながら、挟着片１２、１２間を拡開させるようにして挟着片１２、１２間の空間の奥方に入り込む。そして、それぞれの掛止突部３ｂ、３ｂは、その先端が挟着片１２、１２の係止開口１２ａ、１２ａから外側へ突出して掛止部１２ｄ、１２ｄに掛止される（図６（ｂ）参照）。このように掛止状態となったときには、挟着体１０の両挟着片１２、１２は弾性復帰力によって先端同士が近づこうとし、竪樋２の外面を押圧して、竪樋２を挟着保持した状態となる。
【００４７】
また、上述したように挟着体１０には上下位置にストッパ突片１３が形成されているため、取付部３が挟着体１０の掛止部１２ｄ、１２ｄに掛止された後にさらに竪樋２の取付部３を挟着体に向けて押し付けても、竪樋２の外面がストッパ突片１３に接触する（図６（ｂ）参照）。そのため、挟着体１０はそれ以上扁平した状態とはならず、挟着片１２、１２が拡開しすぎて掛止部１２ｄ、１２ｄより外れてしまうことを防止できる。
【００４８】
以上のように、座板２０の外壁Ｗへの取付箇所と、竪樋２の取付部３との竪樋２の長手方向における位置合わせは、回転操作などの面倒な操作をする必要がなく、挟着片１２、１２をつまんで上下いずれかにスライド移動させるだけでできるので、竪樋２の施工を容易かつ迅速に行うことができる。
【００４９】
以上の実施形態では、挟着体１０と座板２０の凹凸嵌合により段階的に上下位置を調整できるものを示したが、回転操作による挟着体と座板との固定、解除により位置調整できる公知の竪樋取付具（上述の特許文献１に開示されたもの）にも、本実施形態で示した貫通リベット３１とビス３２などの固定具とによる固定構造を適用することができることはいうまでもない。
【符号の説明】
【００５０】
１      竪樋取付具
２      竪樋
２ａ      竪樋本体
２ｂ      継手
３      取付部
３ａ      脚部
３ｂ      掛止突部
１０      挟着体
１１      本体部（連結部）
１１ａ      長孔
１１ｂ      補強用リブ
１２      挟着片
１２ａ      係止開口
１２ｂ      凹凸部
１２ｃ      凹部（被係止部）
１２ｄ      掛止部
１２ｅ      ガイド面
１３        ストッパ突片
２０        座板
２１        スペーサ突片（スペーサ）
２２        本体片（連結部）
２２ａ      挿通孔
２３        折曲片
２３ａ      凸部（係止部）
２４        突出部
３１        貫通リベット
３１ａ      頭部
３２        ビス（固定具）
【図１】
2014114666.tif 000003
【図２】
2014114666.tif 000004
【図３】
2014114666.tif 000005
【図４】
2014114666.tif 000006
【図５】
2014114666.tif 000007
【図６】
2014114666.tif 000008